(57)【要約】【課題】ボールを円滑に回転させることができるとともに、ボールの外周面に擦過傷が発生するのを抑制することができ、しかもボールの支持構造を簡略化することができる美容器を提供する。【解決手段】ハンドル１２にマッサージ用のボール２３を設け、そのボール２３をボール径より小さいハンドル１２の開口２１ｂから自由回転可能に、かつ出没方向に移動可能に露出させる。ハンドル１２の内部にはボール２３を受けるためのボール支持部材２２を設ける。ボール支持部材２２のボール受け面２２ａをボール２３の球面の曲率より大きな曲率で形成する。ボール２３がハンドル１２の開口２１ｂの周縁部に係合した状態で、そのボール２３とボール受け面２２ａとの間に隙間Ｓ１が形成されるようにする。【選択図】図４
2012085809.tif 000002
【特許請求の範囲】
【請求項１】
ハンドルにマッサージ用のボールを設け、そのボールをボール径より小さいハンドルの開口から自由回転可能に、かつ出没方向に移動可能に露出させるとともに、ハンドルの内部には前記ボールを受けるための支持部材を設けた美容器において、
前記支持部材のボール受け面をボールの球面の曲率より大きな曲率で形成したことを特徴とする美容器。
【請求項２】
前記ボールが前記ハンドルの開口の周縁部に係合した状態で、そのボールと前記ボール受け面との間に隙間が形成されるようにしたことを特徴とする請求項１に記載の美容器。
【請求項３】
前記ボール及びボール受け面を導電材料によって構成し、ボール受け面を電源に接続したことを特徴とする請求項１または２に記載の美容器。
【請求項４】
前記電源は前記ハンドルに設けられた太陽電池パネルであることを特徴とする請求項３に記載の美容器。
【発明の詳細な説明】
【技術分野】
【０００１】
この発明は、ハンドルに設けられたマッサージ用のボールによって、顔や腕等の肌をマッサージすることにより、血流等を促して美しい肌を実現するための美容器に関するものである。
【背景技術】
【０００２】
従来、この種の美容器としては、例えば特許文献１及び特許文献２に開示されるような構成が提案されている。特許文献１に記載の従来構成においては、ハンドルに設けられた円柱状のボールホルダの外周に、軸線方向に延びる複数の縦溝が形成されている。各縦溝内には、マッサージ用の複数のボールがその外周面の一部を露出させた状態で回転自在に収容配置されている。また、特許文献２に記載の従来構成においては、ハンドルとしてのほぼ半球状の本体の端面に、複数のボール取付孔が形成されている。本体の各ボール取付孔には、複数のボールが支持ツメを有するツメ型のボール支え体にそれぞれ回転自在に支持された状態で取り付けられている。
【先行技術文献】
【特許文献】
【０００３】
【特許文献１】実用新案登録第３１３６０６８号公報
【特許文献２】実用新案登録第３１５１５９８号公報
【発明の概要】
【発明が解決しようとする課題】
【０００４】
ところが、これらの従来の美容器においては、次のような問題があった。
特許文献１に記載の従来構成では、図６（ａ）に示すように、ボールホルダ４１に設けられたボール受け面４１ａがボール４２の球面の曲率と同一の曲率で形成されている。このため、ボール受け面４１ａに対するボール４２の外周面の接触面積が広くなって、ボールの回転時に大きな摩擦抵抗が作用し、ボールが回転し難くなるという問題があった。しかも、ボールを摩擦抵抗に抗して無理に回転させると、ボールの外周面がボール受け面と擦れあって、ボールの外周面に擦過傷が発生し易いという問題もあった。
【０００５】
また、特許文献２に記載の従来構成では、複数のボールをツメ型のボール支え体にそれぞれ回転自在に支持した状態で、本体の各ボール取付孔に取り付ける必要がある。そのため、ボールの支持構造が複雑になって、製造コストの高騰を招くという問題があった。
【０００６】
さらに、美容器におけるボールの支持構造としては、例えば図６（ｂ）に示すような構成も従来から知られている。この従来構成においては、円錐筒状のボール支持部材４３が設けられ、そのボール支持部材４３の先端縁にはボール４２の外周面に摺接する球面凹状のボール受け面４３ａが形成されている。そして、ボール４２がボール支持部材４３のボール受け面４３ａに摺接した状態で回転自在に支持されるようになっている。しかしながら、この従来構成においても、ボール支持部材４３のボール受け面４３ａがボール４２の球面の曲率と同一の曲率で形成されているため、前記特許文献１に記載の従来構成と同様に、ボール４２が回転し難いとともに、ボール４２の外周面に擦過傷が発生し易いという問題があった。
【０００７】
この発明は、このような従来の技術に存在する問題点に着目してなされたものである。その目的は、ボールを円滑に回転させることができるとともに、ボールの外周面に擦過傷が発生することを抑制することができ、しかもボールの支持構造を簡略化することができる美容器を提供することにある。
【課題を解決するための手段】
【０００８】
上記の目的を達成するために、この発明は、ハンドルにマッサージ用のボールを設け、そのボールをボール径より小さいハンドルの開口から自由回転可能に、かつ出没方向に移動可能に露出させるとともに、ハンドルの内部には前記ボールを受けるための支持部材を設けた美容器において、前記支持部材のボール受け面をボールの球面の曲率より大きな曲率で形成したことを特徴としている。
【０００９】
従って、この発明の美容器においては、支持部材のボール受け面がボールの球面の曲率より大きな曲率で形成されていることで、ボール受け面に対するボールの外周面の接触面積が狭くなる。このため、使用者がボールを顔等の肌に接触させて回転させた場合、ボール受け面とボールの外周面との間の摩擦抵抗が小さくなって、ボールを円滑に回転させることができる。また、ボールを摩擦抵抗に抗して無理に回転させる必要がないため、ボールの外周面がボール受け面と擦れあうことで、ボールの外周面に擦過傷が発生するおそれを抑制することができる。しかも、支持部材に支持ツメ等の特別の支持構造を設ける必要がなく、ボール受け面をボールの球面の曲率より大きな曲率で形成するという簡単な構成でよいため、ボールの支持構造を簡略化して、コストの低減を図ることができる。
【００１０】
前記の構成において、前記ボールが前記ハンドルの開口の周縁部に係合した状態で、そのボールと前記ボール受け面との間に隙間が形成されるようにするとよい。
前記の構成において、前記ボール及びボール受け面を導電材料によって構成し、ボール受け面を電源に接続するとよい。
【００１１】
前記の構成において、前記電源は前記ハンドルに設けられた太陽電池パネルより構成するとよい。
【発明の効果】
【００１２】
以上のように、この発明によれば、ボールを円滑に回転させることができるとともに、ボールの外周面に擦過傷が発生するのを抑制することができ、しかもボールの支持構造を簡略化することができるという効果を発揮する。
【図面の簡単な説明】
【００１３】
【図１】一実施形態の美容器を示す平面図。
【図２】図１の２−２線における断面図。
【図３】図２の３−３線における拡大断面図。
【図４】図２の４−４線における部分拡大断面図。
【図５】図１の美容器の回路構成を示す構成図。
【図６】（ａ）及び（ｂ）は従来の美容器を示す部分断面図。
【発明を実施するための形態】
【００１４】
以下に、この発明を具体化した美容器の一実施形態を、図１〜図４に従って説明する。
図１〜図３に示すように、この実施形態の美容器１１の細長いハンドル１２は、軸線方向に沿って延びる合成樹脂（例えば、ＡＢＳ：アクリルニトリル・ブタジエン・スチレン共重合合成樹脂）よりなる第１ハンドル片１３と、同じく合成樹脂よりなる第２ハンドル片１４とに分割して構成されている。従って、ハンドル１２は電気絶縁材料によって形成されている。第１ハンドル片１３の上端開口縁の両側部には凹凸部１３ａが形成されるとともに、第２ハンドル片１４下端開口縁の両側部には第１ハンドル片１３の凹凸部１３ａに係合可能な凹凸部１４ａが形成されている。そして、両ハンドル片１３，１４の凹凸部１３ａ，１４ａが互いに係合された状態で、ハンドル片１３，１４の軸線方向の両端部に円環状の止め輪１５，１６が嵌着されることにより、ハンドル１２が組み付けられている。
【００１５】
図２に示すように、前記ハンドル１２の一端内部において両ハンドル片１３，１４間には、支持軸１７がその先端部をハンドル１２外に突出させた状態で挟着固定されている。支持軸１７の先端部には、円筒状をなすマッサージ用の回転ローラ１８が支持筒１９及び一対の軸受メタル２０を介して回転可能に支持されている。回転ローラ１８の外周には、複数の突条１８ａが軸線方向に沿って延びるように形成されている。
【００１６】
そして、合成樹脂製の回転ローラ１８の外周面にプラチナメッキが施されるため、回転ローラ１８の外周面への通電性が確保されている。つまり、回転ローラ１８は電気絶縁材料に形成されるとともに、その外周面が導電材料によって構成されている。そして、使用者がハンドル１２を把持した状態で、この回転ローラ１８の外周面を顔等の肌に接触させて円周方向に相対移動させることにより、回転ローラ１８が支持軸１７を中心に回転される。
【００１７】
図１、図２及び図４に示すように、前記ハンドル１２の他端には、ハンドル１２の一部を構成するテーパ状のボール収容体２１が、その内周面の円環状凹部２１ａとハンドル１２の先端外周の円環状突部１２ａとの係合により嵌着固定されている。ハンドル１２の他端内部において両ハンドル片１３，１４間には、ボール支持部材２２が挟着固定されている。ボール支持部材２２の外端面には、球面凹状のボール受け面２２ａが形成されている。ボール収容体２１内においてその外側開口２１ｂとボール支持部材２２のボール受け面２２ａとの間には、マッサージ用の鋼球からなるボール２３が自由回転可能に、かつ開口２１ｂから出没する方向へ移動可能に収容配置されている。この場合、ボール収容体２１の開口２１ｂがボール２３の外径よりも小径となるように形成され、ボール２３の一部が開口２１ｂから外部に露出するようになっている。
【００１８】
そして、図２及び図４に示すように、前記ボール支持部材２２のボール受け面２２ａがボール２３の球面の曲率より大きな曲率で形成されている。この場合、合成樹脂（例えば、ＡＢＳ：アクリルニトリル・ブタジエン・スチレン共重合合成樹脂）製のボール支持部材２２の外面にクロムメッキが施されることにより、ボール受け面２２ａへの通電性が確保されている。つまり、ボール２３及びボール受け面２２ａが導電材料によって構成されている。さらに、ボール２３の外周面には、ゲルマニウムコーティングが施されている。
【００１９】
また、図４に実線で示すように、前記ボール２３がボール収容体２１の開口２１ｂ側に移動されて、その開口２１ｂの周縁部に係合した状態で、ボール２３の外周面とボール受け面２２ａとの間に隙間Ｓ１が形成されるようになっている。さらに、図４に鎖線で示すように、ボール２３がボール支持部材２２のボール受け面２２ａ側に移動されて、そのボール受け面２２ａに接触した状態で、ボール２３の外周面と開口２１ｂの周縁部との間に隙間Ｓ２が形成されるようになっている。そして、使用者がハンドル１２を把持した状態で、ボール２３の外周面を顔等の肌に接触させて横方向に相対移動させることにより、ボール２３がボール受け面２２ａに接触した状態で回転されるようになっている。
【００２０】
図１〜図３に示すように、前記ハンドル１２の第２ハンドル片１４の上面には、軸線方向に延びる長孔状の取付孔１４ｂが形成されている。取付孔１４ｂ内には上面を開口したほぼ箱形状の合成樹脂製の保持部材２４が、その開口端縁部２４ａをハンドル１２の外周面上に露出させた状態で嵌合されて、複数のネジ２５により第１ハンドル片１３に対して固定されている。この場合、合成樹脂製の保持部材２４の前記開口端縁部２４ａや内周面を含む外側面にクロムメッキが施されることにより、保持部材２４の外側面への通電性が確保されている。つまり、保持部材２４の外側面（開口端縁部２４ａ）が導電材料によって構成されている。保持部材２４の上面開口部には透明な合成樹脂よりなるカバー２６が取り付けられるとともに、底面には透孔２４ｂが形成されている。
【００２１】
図１〜図３に示すように、前記保持部材２４の下面には、電源としての太陽電池パネル２７が透孔２４ｂと対応するように配設されている。図５に示すように、太陽電池パネル２７の一方（例えば＋側）の端子２７ａには、保持部材２４の外側面がリード線２８Ａを介して接続されている。また、太陽電池パネル２７の他方（例えば−側）の端子２７ｂには、回転ローラ１８の外周面及びボール支持部材２２のボール受け面２２ａがリード線２８Ｂを介して接続されている。この場合、図４に示すように、ボール支持部材２２へのリード線２８Ｂの端部には端子２９が接続され、その端子２９がネジ３０によりボール支持部材２２の内端部に固定されている。
【００２２】
次に、前記のように構成された美容器の作用を説明する。
図５から明らかなように、使用者がこの美容器１１を把持していない状態では、太陽電池パネル２７で発電されても、一方の電極を構成する保持部材２４のメッキ面と、他方の電極を構成する回転ローラ１８のメッキ面及びボール２３との間の電気接続が遮断されている。そして美容器１１の使用時に際して、使用者がハンドル１２を把持した状態で、回転ローラ１８の外周面を顔等の肌に接触させて相対移動させると、その回転ローラ１８が支持軸１７を中心に回転される。この回転ローラ１８の回転に伴って、その外周面に形成された複数の突条１８ａにより、顔等の肌がマッサージされて血流が促進される。このとき、図５に示すように、使用者の人体３１における顔等の肌３１ａが回転ローラ１８の外周面に接触しているとともに、人体３１の指や掌が３１ｂがハンドル１２上の保持部材２４の開口端縁部２４ａに接触している。このため、使用者の人体３１が導電路になって、太陽電池パネル２７で発電された電力により、回転ローラ１８から肌３１ａに微弱電流が流れて、血流の促進効果が高められる。
【００２３】
また、使用者がハンドル１２を把持した状態で、ボール２３の外周面を顔等の肌に押し当てると、ボール２３がボール支持部材２２のボール受け面２２ａ側に移動される。この移動により、図４に鎖線で示すように、ボール２３がボール受け面２２ａに接触されるとともに、ボール２３の外周面と開口２１ｂの周縁部との間に隙間Ｓ２が形成される。この状態で、ハンドル１２を横方向に相対移動させると、ボール２３が軽く回転され、顔等の肌がマッサージされて血流が促進される。
【００２４】
この場合にも、図５に示すように、使用者の人体３１における顔等の肌３１ａがボール２３の外周面に接触しているとともに、人体３１の指３１ｂがハンドル１２上の保持部材２４の開口端縁部２４ａに接触している。このため、使用者の人体３１が導電路になって、太陽電池パネル２７から、ボール支持部材２２のボール受け面２２ａ及びボール２３を介して肌３１ａに微弱電流が流れて、血流の促進効果が高められる。
【００２５】
従って、この実施形態によれば、以下のような効果を得ることができる。
（１）  この美容器においては、ボール支持部材２２のボール受け面２２ａがボール２３の球面の曲率より大きな曲率で形成されている。このため、ボール受け面２２ａに対するボール２３の外周面の接触面積が狭くなる。よって、使用者がボール２３を顔等の肌に接触させて回転させた場合、ボール受け面２２ａとボール２３の外周面との間の摩擦抵抗が小さくなって、ボール２３を円滑に回転させることができる。また、ボール２３を摩擦抵抗に抗して無理に回転させる必要がないため、ボール２３の外周面がボール受け面２２ａと擦れあうことで、ボール２３の外周面に擦過傷が発生するおそれを抑制することができる。さらに、ボール支持部材２２に支持ツメ等の特別の支持構造を設ける必要がなく、ボール受け面２２ａをボール２３の球面の曲率より大きな曲率で形成するという簡単な構成でよいため、ボール２３の支持構造を簡略化して、コストの低減を図ることができる。加えて、ボール受け面２２ａ及びボール２３の外周面が同方向に湾曲する曲面であるため、ボール受け面２２ａとボール２３と通電接触状態を適切に確保できて、通電安定性を得ることができる。
【００２６】
（２）  この美容器においては、前記ボール２３がハンドル１２の開口２１ｂの周縁部に係合した状態で、そのボール２３とボール受け面２２ａとの間に隙間Ｓ１が形成されるようになっている。このため、使用者がボール２３を顔等の肌に接触させて使用する際に、ボール２３がボール受け面２２ａ側に移動されて、そのボール受け面２２ａに狭い接触面積で当接されるとともに、ボール２３の外周面とハンドル１２の開口２１ｂの周縁部との間に隙間Ｓ２が形成される。よって、ボール２３を一層円滑に回転させることができる。
【００２７】
（３）  この美容器においては、前記ボール２３及びボール受け面２２ａが導電材料によって構成され、ボール受け面２２ａが電源としての太陽電池パネル２７に接続されている。よって、使用者がボール２３を顔等の肌に接触させて使用する際に、太陽電池パネル２７からボール受け面２２ａ及びボール２３を介して肌に微弱電流が流れて、血流の促進効果を高めることができる。
【００２８】
（４）  この美容器においては、前記電源がハンドル１２に設けられた太陽電池パネル２７より構成されている。このため、乾電池等の電源を設ける必要がなく、太陽電池パネル２７で発電された電力を利用して、ボール２３から肌に微弱電流を流すことができる。
【００２９】
（５）  太陽電池パネル２７を保持する保持部材２４の内周面にクロムメッキが施されているため、外部からの光がこのメッキ面で反射されて太陽電池パネル２７に到達する。このため、太陽電池パネル２７に対する光の照射量を充分に確保することができて、有効な発電を行うことができる。しかも、保持部材２４の外部露出面のクロムメッキが電極の機能を果たすため、電極や導電路のための専用部品が不要になり、構成を簡素化できる。
【００３０】
（変更例）
なお、この実施形態は、次のように変更して具体化することも可能である。
・  前記実施形態においては、電源として太陽電池パネル２７を用いたが、乾電池あるいは二次電池を用いること。
【００３１】
・  前記実施形態において、ボール２３として、合成樹脂製の球の周面に金属メッキを施したものを用いること。
【符号の説明】
【００３２】
１１…美容器、１２…ハンドル、１７…支持軸、１８…回転ローラ、２１…ボール収容体、２１ｂ…開口、２２…ボール支持部材、２２ａ…ボール受け面、２３…ボール、２４…保持部材、２７…電源としての太陽電池パネル、３１…人体、３１ａ…顔等の肌、Ｓ１，Ｓ２…隙間。
【図１】
2012085809.tif 000003
【図２】
2012085809.tif 000004
【図３】
2012085809.tif 000005
【図４】
2012085809.tif 000006
【図５】
2012085809.tif 000007
【図６】
2012085809.tif 000008